(57)【要約】      （修正有）【課題】簡易テーブルにシンクを収納し、給排水の機能を設け、組立式で屋内や屋外でも使用可能にすることにより、多目的な使用が出来るようした移動式の洗面台を提供する。【解決手段】長方形テーブルの４脚がテーブル台２の両側面の角部から横へ直角に突き出て途中から湾曲し、接地面に向かって垂直に伸びる脚にストッパー付きキャスターを装着してテーブルを形成する。さらに、前記テーブルの開閉式にしたテーブル台の下に収納された給排水機能を有するシンク１０と、前記シンク奥底部に取り付けられたホースの下端に配設された排水タンク１４と、前記シンクの給水用シャワーノズル１７に取り付けられたホースの下端に配設された小型ポンプ１９と、前記ポンプを収納する貯水タンク１３から移動式テーブル洗面台を構成する。【選択図】図１
0003168754.tif 000002
【実用新案登録請求の範囲】
【請求項１】
長方形テーブルの４本の脚がテーブル台の両側面の角から横へ直角に突き出て途中から接地面に向かって湾曲して伸びる形状になっており、その脚にはストッパー付きのキャスターが装着している。そのテーブル台の下に給水や排水機能のあるシンクを収納している。使用する際は、上蓋を手前から奥に開き、貯水タンクに接続された給水ホースの先の小型ポンプから常温水や温水を汲み上げ、シャワーノズルから放水する。一人で移動、組み立て、設置ができることを特徴とした移動式テーブル洗面台
【請求項２】
テーブルを支える４本の脚に刻まれた用途に合わせ（車椅子（Ｃ）ベッド（Ｂ）の調整目印付）テーブルの脚の幅や高さをスライドし、調整ネジで固定することで、車椅子やイスに座ったままの状態でテーブル洗面台自体を移動し、キャスターにロックをかけることでテーブルや洗面台として使用することが出来る。また、テーブルの脚の幅や高さをベッドの幅や高さに合わせてスライド調整し、固定することで、介護ベッド用のテーブルや洗面台にも使用出来ることを特徴とする請求項１記載の移動式テーブル洗面台
【請求項３】
シンクの上蓋を開き直角で固定することで水はねを防止、シンクの底を手前から奥に向かって次第に湾曲をおび深くなる形状にすることで水はね防止と水はけを良くし、また、車椅子、イス、ベッドで使用したとき、テーブル洗面台の下に入れた両脚がシンクの底に当たり窮屈にならないようにしているところを特徴とする請求項１記載の移動式テーブル洗面台
【請求項４】
ポリエチレンの貯水タンクと排水タンクがキャリーカートに装着されており、伸縮式の持ち手を引き伸ばし、手前に傾け、引いて運ぶことで重いタンクでも給水や排水作業が屋内や屋外にかかわらず、簡単にできることを特徴とする請求項１記載の移動式テーブル洗面台
【請求項５】
介護施設や病院などの浴室で美容施術を行うときは、シャワーノズル、給水ホース、給水モーター、貯水給水タンクを取り外し、排水ホースを浴室の排水溝に入れ、浴室の給水設備を使い、洋服を着たままで洗髪ができることを特徴とする請求項１記載の移動式テーブル洗面台
【考案の詳細な説明】
【技術分野】
【０００１】本考案は、簡易テーブルにシンクを収納し、給排水の機能を設け、組立式で屋内や屋外でも使用可能にすることにより、多目的な使用が出来るようした移動式の洗面台に関するものである。
【背景技術】
【０００２】美容業者が介護施設や病院などの美容現場で介助が必要な人の洗髪、髪染め、パーマの施術の際、作業に伴う給水や排水処理が出来る簡易洗面台が無いために、要望されても髪のカットのみにとどまっていた。また、美容現場で利用する洗面台は、背面式が主流で車いすを利用する人や身体的な問題により、前かが身しかできない人の洗髪には不向きであった。さらに、車椅子や介護ベッドを利用する人の日常生活において、手洗い、洗顔、洗髪、髪染めなどの行為のとき、洗面場所や浴室までの身体の移動や作業に必要な姿勢の維持や手間などで本人や介助者に肉体的、精神的な負担を強いるものであった。また、在宅において、この行為に身内の介助が受けられない人は、業者によるサービスの提供を必要とし、同時に経済的な負担もかかっていた。
【先行技術文献】
【特許文献】
【０００３】
【特許文献１】特開２００１−２９２８３６（Ｐ２００１−２９２８３６Ａ）
【特許文献２】特開２００２−２８０９４（Ｐ２００２−２８０９４Ａ）
【非特許文献】
【０００４】
【非特許文献１】タカラベルモント株式会社、製品名  ＲＳオアシス
【考案の概要】
【考案が解決しようとする課題】
【０００５】この考案は、美容業者が介護施設や病院などで必要とする簡易洗面台が無いために、要望があるにも拘らず出来ない洗髪、髪染め、パーマなどの施術の問題。また、車椅子や介護ベッドを利用する人が、日常生活において、手洗い、洗顔、洗髪、髪染めなど、給水や排水処理を必要とする様々な行為での肉体的、精神的な負担の問題。更に、在宅介助が必要な方がこの日常生活の行為において、有料サービスを利用せざるを得なかった経済的な負担の問題。また、洗面台を設置する時の配管工事などの設備費にかかる経済的な負担の問題を解決しようとするものである。
【課題を解決するための手段】
【０００６】この考案は、テーブルの４本の脚がテーブル台の両側面から横へ直角に突き出て途中から接地面に向かって湾曲して伸びる形状になっており、その脚にはストッパー付きのキャスターが装着している。その４本の脚には、車いす（Ｃ）ベッド（Ｂ）などの用途別調整目印が付いており、高さや幅をスライドし、調整ネジで固定することができる。移動式テーブル台の下にシンクを収納して給排水機能を設け、一人での組み立や設置が簡単にできる洗面台にすることで、美容業者が持ち運びを可能にした。車椅子、ベッド、イスに合わせて４脚の幅や高さを調整し、洗面台本体を移動することで、椅子に座ったまま、ベッドの上から移動せず、上半身を起こして前かがみになった姿勢や仰向きになって、シンクの縁のネックパットから頭を出した姿勢でも洗面台を使用することができる。シンクの上蓋を開き、内蓋を右から左側に開き、直角で固定することで水はねを防止する。シンクの底を手前から奥に向かって次第に湾曲をおび深くなる形状にすることで水はね防止と水はけを良くし、人がテーブルの下に脚を入れた時にシンクの底が両脚に当たり窮屈にならないようにしている。洗面台として使うときは、シンク上部の蓋と内蓋を開き、ポンプの作動スイッチを入れ、脱着式貯水タンクに溜めた常温水や温水を小型ポンプで汲み上げ、備え付けたシャワーノズルの切り替えを行い放水することで手洗い、洗顔、洗髪などを一人でも出来るようにしている。使用した排水はシンクに直結した排水用ホースから排水用タンクに溜まるようになっている。脱着式ポリエチレンの貯水タンクと排水タンクが折りたたみ式キャリーカートに装着されており、キャリーカートの伸縮式の持ち手を引き伸ばし、手前に傾け、引いて運ぶことで重いタンクでも給水や排水作業が屋内や屋外にかかわらず、容易に出来きるようしている。洗面台を設置する際の水回りの配管工事が必要なく、どんな場所にでも設置できることから経済的な負担を軽減する。以上の手段により問題を解決している。
【考案の効果】
【０００７】本考案は、介護施設や病院など医療や福祉分野において、移動式テーブル洗面台を使用することで美容業者が今まで出来なかったサービスを提供することができるようになり、出張美容という分野で更なる需要と雇用を生み出すことが出来る。また、車椅子や介護ベッドを利用する人が、手洗い、洗顔、洗髪、髪染などの給水や排水処理を必要とする様々な介助をどんな場所においても受けられることで、介助する側、それを受ける側の肉体的、精神的、経済的な負担を軽減することに役立つばかりでなく、軽度の障害の人が日常生活において、介助なしで出来る行為の範囲を広げることにより、生活意欲の向上につながるという効果も期待できるものである。更に、一人で移動、組立、設置ができ、水回りなどの工事の必要が無いため、屋内や屋外などの場所を選ばず多目的に利用が出来る上に設備費の削減が出来る。
【図面の簡単な説明】
【０００８】
【図１】本案件の移動式テーブル洗面台の一実施例を示す右斜面図である。
【図２】本移動式テーブル洗面台の断面図である。
【図３】本移動式テーブル洗面台の上面図である。
【図４】本案件を車椅子で使用する場合の一実施例を示す図である。
【考案を実施するための形態】
【０００９】移動式テーブル洗面台は、長方形のテーブル台を支える４脚に取り付けられたストッパー付きのキャスターにより移動が簡単にでき、また、使用目的別（車椅子（Ｃ）ベッド（Ｂ）用途別の幅、高さ調整目印付）により脚の高さや幅をスライド調整し、調整ネジで固定することができる。テーブル台中央部分の下にシンクを収納し、テーブル台の開閉蓋を手前から奥に向かって開き、内フタを右から左側に開いて直角に立て固定し、洗面台を使用する。洗面台の右側面に脱着式貯水タンクが設置され、貯水タンクに直結された給水ホースの先の小型ポンプで温水を汲み上げ、開閉フタの裏側に装着された脱着式シャワーノズルの切り替えスイッチで放水する。洗面台シンクの底は、手前から奥に向かって次第に湾曲をおび深くなっており、排水はシンク底の左奥の排水溝に接続された排水ホースを流れ、洗面台の左側面に設置された脱着式排水タンクに溜まる。給排水作業が容易に出来るように、２０リットル容量のポリエチレンの貯水タンクと排水タンクがキャリーカートに装着されており、伸縮式の持ち手を引き伸ばし、キャリーを手前に傾け、引いて運ぶことで重いタンクでも給水や排水作業が屋内や屋外にかかわらず、簡単にできる。
【実施例】
【００１０】以下、図面に従って実施例を説明する。１は、幅や高さを車椅子、いす、ベッドに合わせてスライドしてから調整ネジで固定することで車椅子、イス、ベッドの上から移動せず、洗面台自体を移動して使用するシンクを収納した移動式テーブル洗面台本体、テーブル台２の裏の脚固定パイプ５にテーブルの幅や高さを調整する脚６を装着し、横にスライドして８によって幅を固定、キャスター付き主軸脚７に脚６を装着し、縦にスライドして９によって高さを固定する。その調整目安として車椅子（Ｃ）ベッド（Ｂ）などの目印が６についている。洗面台を使用する時は、開閉フタ３を手前から奥に開き、さらに内フタ４を右から左側に開く。３の裏側に付けられたシャワーホルダー１８にシャワーノズル１７が装着されており、１７に繋がれた給水ホース１５の先の小型ポンプ１９が貯水タンクの１３から１５を通して温水を汲みあげる。シンク１０の形状は手前の上部の縁がへこんでおり、首を保護のため１２が付いており、１０の底は手前から奥に向かって次第に湾曲をおび深くなり、水はねを防止し、排水がし易くなっている。２２の貯水用栓で１１の排水溝口を塞ぎ、温水を溜められる。排水は１０の左奥底にある１１に接続している１６を通して１４の排水タンクにたまる。排水を処理する場合は、排水ホース１６を１４から外し、排水タンクの１４ｂの伸縮式引き手を引き伸ばし、１４ａのキャスターを利用し、手前に傾け、引いて運ぶことで重いタンクでも簡単に処理できる。貯水タンク１３の貯水作業も同様な操作で簡単に行える。
【産業上の利用可能性】
【００１１】美容院、理髪店、介護施設・福祉施設、病院などの分野で利用が可能である。
【符号の説明】
【００１２】１移動式テーブル洗面台本体
２テーブル台
３開閉フタ
４内フタ
５テーブル台裏の脚固定パイプ
６幅・高さの調整脚（車椅子（Ｃ）ベッド（Ｂ）用途別の幅・高さ調整目印付）
７キャスター／ストッパー付主軸脚
８幅調整ネジ
９高さ調整ネジ
１０シンク
１１排水溝口
１２シンク用ネックパット
１３キャスター及び伸縮式持ち手付貯水タンク
１３ａ貯水タンクキャスター
１３ｂ貯水タンク伸縮式持ち手
１４キャスター及び伸縮式引き手付き排水タンク
１４ａ排水タンクキャスター
１４ｂ排水タンク伸縮式持ち手
１５給水ホース
１６排水ホース
１７シャワーノズル
１８シャワーホルダー
１９小型ポンプ
２０放水スイッチ
２１電源コード
２２貯水用栓
【図１】
0003168754.tif 000003
【図２】
0003168754.tif 000004
【図３】
0003168754.tif 000005
【図４】
0003168754.tif 000006
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
長方形テーブルの４脚がテーブル台の両側面の角部から横へ直角に突き出て途中から湾曲し、接地面に向かって垂直に伸びる脚にストッパー付きキャスターを装着したテーブルと、前記テーブルの開閉式にしたテーブル台の下に収納された給排水機能を有するシンクと、前記シンク奥底部に取り付けられたホースの下端に配設された排水タンクと、前記シンクの給水用シャワーノズルに取り付けられたホースの下端に配設された小型ポンプと、前記ポンプを収納する貯水タンクからなる移動式テーブル洗面台
【請求項２】
前記テーブルの４脚に刻まれた車椅子、ベッド、基本仕様の用途別調整目印に合わせ、テーブルの脚の幅や高さをスライドし、固定することができることを特徴とする請求項１記載の移動式テーブル洗面台
【請求項３】
前記シンク上部のテーブル部分を手前から奥に向かって開閉する上蓋とシンク上部の仕切り蓋を右から左に向け開閉する内蓋を開き、鉛直に固定することにより水はねを防止することを特徴とする請求項１記載の移動式テーブル洗面台
【請求項４】
前記シンクの底を手前から奥に向かって次第に湾曲をおび深くなる形状にすることで水はね防止と水はけを良くし、使用時にテーブル洗面台の下に入れた両脚がシンクの底に当たり窮屈にならないようにしているところを特徴とする請求項１記載の移動式テーブル洗面台
【請求項５】
前記テーブルの脚下に配置された脱着式の排水タンクと貯水タンクがキャリーカートに装着され、前記タンクをカートごと移動できることを特徴とする請求項１記載の移動式テーブル洗面台